(57)【要約】【課題】バネを介さずにコイルへ電力を供給することできるオートフォーカス用アクチュエータを提供することを目的とする。【解決手段】  本アクチュエータは、ホルダ１０と、ホルダ１０のフランジ部１２に設けられたコイル２０と、コイル２０を収容するように構成されたヨーク３０と、ヨーク３０にコイル２０と間隔を置いて対向するように配置された複数の永久磁石とホルダ２０を径方向に位置決めした状態で光軸方向に変位可能に支持し、ホルダ２０の上下に設けられた一対の板バネ６０と、下側板バネ６０Ｌの下面に設けられ、コイル２０の引き出し部２１が接続されるシート状電極９０とを有し、シート状電極９０を介してコイル２０に電力を供給できるようにした。【選択図】図２
2006050693.tif 000002
【特許請求の範囲】
【請求項１】
一端にレンズが取り付けられる筒状部と該筒状部の他端の外周に設けられたフランジとを有するホルダと、
前記ホルダのフランジ部の前記筒状部の周囲に位置するようにコイルと、
前記ホルダの筒状部が挿通する挿通孔をなす内筒部と、該内筒部の外側に所定間隔をおいて設けられた外筒部とを有し、前記内筒部と前記外筒部の前記ホルダのフランジ部と反対側の端部を一体に連結してなるとともに、前記所定間隔のスペースに前記コイルを収容するように構成されたヨークと、
前記ヨークの外筒部の内周面の磁石取付面に前記コイルと間隔を置いて対向するように配置された永久磁石と、
前記ホルダの筒状部の光軸方向両側に設けられ、該ホルダを径方向に位置決めした状態で前記光軸方向に変位可能に支持する一対の板バネと、
前記一対の板バネのそれぞれの外側に設けられ、該板バネを前記ヨークの光軸方向両端面との間でそれぞれ挟持するとともに、少なくとも前記ホルダに取り付けられたレンズに対応する部分にそれぞれ開口を有する一対の支持枠と、を備え、前記コイルに通電することにより、前記ホルダに取り付けられたレンズを光軸方向に位置調節可能にするオートフォーカス用アクチュエータであって、
前記ホルダのフランジ側の板バネの支持枠側表面に、前記コイルに電力を供給するためのシート状電極が設けられていることを特徴とするオートフォーカス用アクチュエータ。
【請求項２】
前記シート状電極は、略リング状に形成されたリング状部と、該リング状部から径方向外側に延出した延出部とを有することを特徴とする請求項１に記載のオートフォーカス用アクチュエータ。
【請求項３】
前記コイルは、その巻き線の両側の引き出し部が前記ホルダのフランジ部側に位置するように巻回されてなり、前記シート状電極は、その支持枠側表面に、前記リング状部と延出部に沿って、導体からなる端子部が設けられており、前記コイルの巻き線の両側の引き出し部が前記シート状電極の端子部に接続されていることを特徴とする請求項１または２に記載のオートフォーカス用アクチュエータ。
【請求項４】
前記シート状電極は、その支持枠側と反対側の表面において、少なくとも前記リング状部に、前記板バネに接着するための接着層が設けられていることを特徴とする請求項１ないし３のいずれかに記載のオートフォーカス用アクチュエータ。
【請求項５】
前記延出部は、前記フランジ側の前記支持枠に設けられている挿通孔を介して、前記支持枠の外部に延出していることを特徴とする請求項１ないし４のいずれかに記載のオートフォーカス用アクチュエータ。
【請求項６】
一端にレンズが取り付けられた筒状部を有するホルダと、
前記ホルダの前記筒状部の周囲に位置するようにコイルと、
前記ホルダの筒状部の光軸方向両側に設けられ、該ホルダを径方向に位置決めした状態で前記光軸方向に変位可能に支持する一対の板バネと、
前記コイルと対向する永久磁石を備え、前記コイルに通電することにより、前記永久磁石の磁界と前記コイルに発生する磁界の相互作用により、前記ホルダに取り付けられたレンズを光軸方向に位置調節可能にするためのヨークと、
前記板バネの前記ホルダと反対側に設けられた前記コイルに電力を供給するためのシート状電極とを、有することを特徴とするオートフォーカス用アクチュエータ。
【請求項７】
前記シート状電極は、略リング状に形成されたリング状部と、該リング状部から径方向外側に延出した延出部とを有することを特徴とする請求項６に記載のオートフォーカス用アクチュエータ。
【請求項８】
前記コイルは、その巻き線の両側の引き出し部が前記シート状電極側に位置するように巻回されてなり、前記シート状電極は、前記板バネと反対側の表面に、導体からなる端子部が設けられており、前記コイルの巻き線の両側の引き出し部が前記シート状電極の端子部に接続されていることを特徴とする請求項１６または７に記載のオートフォーカス用アクチュエータ。
【発明の詳細な説明】
【技術分野】
【０００１】
本発明は、オートフォーカス用アクチュエータに関し、さらに詳しくは、デジタルカメラや携帯電話などのカメラ付き小型電子機器に用いることができるオートフォーカス用アクチュエータに関する。
【背景技術】
【０００２】
デジタルカメラなどにおいて、オートフォーカス及びズームを目的として、コイルに流れる電流により発生する磁界と、磁石による磁界との相互作用によって、光軸方向にレンズを移動させることができるアクチュエータが使用されている。また、最近では、携帯電話に搭載されているカメラも、撮像素子の画素数が１００万画素以上のメガピクセル化するに伴い、オートフォーカス機能が要求されるようになってきている。
【０００３】
従来のオートフォーカス用アクチュエータとしては、特許文献１に開示されているようなものが知られている。このアクチュエータは、前方レンズと、前方レンズを支持する前方支持枠と、前方支持枠に取り付けられた前方コイルと、前方支持枠に取り付けられた前方バネと、後方レンズと、後方レンズを支持する後方支持枠と、後方支持枠に取り付けられた後方コイルと、後方支持枠に取り付けられた後方バネと、マグネットと、マグネット支持体と、ヨークとを備え、前方コイルは、マグネットとヨーク間の外側ギャップに配置し、後方コイルは、マグネットとヨーク間の内側ギャップに配置し、前方コイルに電流を印加することによって、前方レンズを前方バネの弾性力と釣合う位置に移動させ、後方コイルに電流を印加することによって、後方レンズを後方バネの弾性力と釣合う位置に移動させるようになっている。
【０００４】
【特許文献１】特開2003-295033
【発明の開示】
【発明が解決しようとする課題】
【０００５】
上記従来のアクチュエータでは、前方バネおよび後方バネを介してコイルに給電される構造となっている。したがって、前方バネおよび後方バネに、それぞれ、コイル用および電源用の電極部を設ける必要があり、そのための曲げ加工を行うため、バネの歩留まりが低下するという問題がある。
【０００６】
また、バネ自体にコイルや導線を直接はんだ付けして導通をとっているため、絶縁が必要な構造となっており、部品点数が増えるという問題もある。
【０００７】
さらに、前方バネと後方バネが異形状になっているため、該バネ同士を共通化することができず部品コストがアップしてしまうという問題もある。
【０００８】
さらに、前方バネと後方バネは、２つのスプリングを円形に繋いだ形状で製作し、取付後に切断するとようになっており、組立工程が煩雑になるという問題もある。
【０００９】
本発明は、これらの問題点に鑑みなされたものであり、その目的は、上記従来例の前方バネおよび後方バネのようなバネを介さずにコイルへ電力を供給することできるオートフォーカス用アクチュエータを提供することにある。
【課題を解決するための手段】
【００１０】
上記目的を達成するために、本発明のオートフォーカス用アクチュエータは、一端にレンズが取り付けられる筒状部と該筒状部の他端の外周に設けられたフランジとを有するホルダと、
前記ホルダのフランジ部に前記筒状部の周囲に位置するように固定されたコイルと、
前記ホルダの筒状部が挿通する挿通孔をなす内筒部と、該内筒部の外側に所定間隔をおいて設けられた外筒部とを有し、前記内筒部と前記外筒部の前記ホルダのフランジ部と反対側の端部を一体に連結してなるとともに、前記所定間隔のスペースに前記コイルを収容するように構成されたヨークと、
前記ヨークの外筒部の内周面の磁石取付面に前記コイルと間隔を置いて対向するように配置された永久磁石と、
前記ホルダの筒状部の光軸方向両側に設けられ、該ホルダを径方向に位置決めした状態で前記光軸方向に変位可能に支持する一対の板バネと、
前記一対の板バネのそれぞれの外側に設けられ、該板バネを前記ヨークの光軸方向両端面との間でそれぞれ挟持するとともに、少なくとも前記ホルダに取り付けられたレンズに対応する部分にそれぞれ開口を有する一対の支持枠と、を備え、前記コイルに通電することにより、前記ホルダに取り付けられたレンズを光軸方向に位置調節可能にしたオートフォーカス用アクチュエータにおいて、
前記ホルダのフランジ側の板バネの支持枠側表面に、前記コイルに電力を供給するためのシート状電極が設けられていることを特徴とする。
【００１１】
以上のような構成を有する本発明のオートフォーカス用アクチュエータによれば、板バネと独立して設けたシート状電極を用いてコイルへの通電を行うようになっているので、板バネに電極部用の折り曲げ加工などは必要なくなり、また板バネの絶縁を考慮する必用もない。さらに、一対の板バネを同じ形状の板バネとすることもでき、コストダウンも可能となる他、組み立ても簡単に行える。
【００１２】
本発明のオートフォーカス用アクチュエータは、前記シート状電極が、略リング状に形成されたリング状部と、該リング状部から径方向外側に延出した延出部とを有することが好ましい。
これにより、板バネとシート状電極の位置決めを容易に行うことができる。
【００１３】
また、本発明のオートフォーカス用アクチュエータは、前記コイルが、その巻き線の両側の引き出し部が前記ホルダのフランジ部側に位置するように巻回されてなり、前記シート状電極は、その支持枠側表面に、前記リング状部と延出部に沿って、導体からなる端子部が設けられており、前記コイルの巻き線の両側の引き出し部が前記シート状電極の端子部に接続されていることが好ましい。
これにより、シート状電極とコイルとを容易に接続することができる。
【００１４】
また、本発明のオートフォーカス用アクチュエータは、前記シート状電極が、その支持枠側と反対側の表面において、少なくとも前記リング状部に、前記板バネに接着するための接着層が設けられていることが好ましい。
これにより、板バネに容易に接着することができる。
【００１５】
また、本発明のオートフォーカス用アクチュエータは、前記延出部が、前記フランジ側の前記支持枠に設けられている挿通孔を介して、前記支持枠の外部に延出していることが好ましい。
これにより、シート状電極と外部の電力供給源とを容易に接続することができる。
【００１６】
また、本発明の別の態様に係るオートフォーカス用アクチュエータは、一端にレンズが取り付けられた筒状部を有するホルダと、
前記ホルダに、該ホルダの前記筒状部の周囲に配置固定されたコイルと、
前記ホルダの筒状部の光軸方向両側に設けられ、該ホルダを径方向に位置決めした状態で前記光軸方向に変位可能に支持する一対の板バネと、
前記コイルと対向する永久磁石を備え、前記コイルに通電することにより、前記永久磁石と前記コイルに発生する磁界の相互作用により、前記ホルダに取り付けられたレンズを光軸方向に位置調節可能にするためのヨークと、
前記板バネの前記ホルダと反対側に設けられた前記コイルに電力を供給するためのシート状電極とを有することを特徴とする。
【００１７】
以上のような構成を有する本発明のオートフォーカス用アクチュエータによれば、板バネと独立して設けたシート状電極を用いてコイルへの通電を行うようになっているので、板バネに電極部用の折り曲げ加工などは必要なくなり、また板バネの絶縁を考慮する必用もない。さらに、一対の板バネを同じ形状の板バネとすることもでき、コストダウンも可能となる他、組み立ても容易に行える。
【００１８】
上述したおよび他の本発明の構成、作用および効果は、図面を参照して行う以下の好適実施形態の説明からより明らかとなるであろう。
【発明を実施するための最良の形態】
【００１９】
以下、本発明のオートフォーカス用アクチュエータについて添付図面に示す好適な実施形態に基づいて詳細に説明する。
【００２０】
図１は、本発明に係るオートフォーカス用アクチュエータの実施形態の外観を示す斜視図である。図２は、図１に示すオートフォーカス用アクチュエータの分解斜視図である。図３は、図１に示すオートフォーカス用アクチュエータの断面概略図である。
【００２１】
本実施形態にかかるオートフォーカス用アクチュエータは、図１、図２および図３に示すように、一端にレンズ組立体１００が取り付けられる筒状部１１とその筒状部１１の他端の外周に設けられたフランジ部１２とを有するホルダ１０と；ホルダ１０のフランジ部１２に、筒状部１１の周囲に間隔をおいて設けられたコイル２０と；ホルダ１０の筒状部１１が挿通する挿通孔３５を有する内筒部３１と、内筒部３１の外側に所定間隔をおいて設けられた外筒部３２と、内筒部３１と外筒部３２のホルダ１０のフランジ部１２と反対側の端部が一体に連結する連結部３４とを有し、内筒部３１と外筒部３２との間にある所定間隔のスペースにコイル２０を収容するように構成された円形状のヨーク３０と；円形状のヨーク３０の外筒部３２の内周面の磁石取付面３３にコイル２０と間隔を置いて対向するように配置された複数の永久磁石４０と；永久磁石４０の円形状のヨーク３０の連結部３４と反対側の面に当接した状態で、複数の永久磁石４０を連結するように配置された磁性部材５０と；ホルダ１０の筒状部１１の光軸方向両側に設けられ、ホルダ１０を径方向に位置決めした状態で光軸方向に変位可能に支持する上側板バネ６０Ｕおよび下側板バネ６０Ｌから成る一対の板バネ６０と；上側板バネ６０Ｕを、ホルダ１０との間で挟持するように、ホルダ１０と嵌合するストッパ７０と；一対の板バネ６０のそれぞれの光軸方向外側に設けられ、板バネ６０をヨーク３０の光軸方向両端面との間でそれぞれ挟持するとともに、少なくともホルダ１０に取り付けられたレンズ組立体１００に対応する部分にそれぞれ開口８０ａ、８５ａを有する一対の支持枠をなすカバー８０およびベース８５と；下側板バネ６０Ｌとベース８５との間に、コイル２０に電力を供給するために設けられたシート状電極９０と；から構成されている。
【００２２】
以下、各構成部材の詳細について説明する。なお、本明細書においては、上及び下の文言を適宜使用するが、各部材の説明において、図２に示す矢印の向きを上方向とし、この矢印の逆の向きを下方向とする。
【００２３】
ホルダ１０は、合成樹脂からなる成型品であり、一端（上端）にレンズ組立体１００が取り付けられる円筒状の筒状部１１とその筒状部１１の他端（下端）の外周に一体に設けられた円形のフランジ部１２とを有する。図３に示すように、ホルダ１０の筒状部１１は、中空になっており、その上部の内周面には、レンズ組立体１００の外周に形成された雄ネジ部と螺合するための雌ネジ部が形成されている。また、フランジ部１２の上面（筒状部１１側の面）の周縁部には、コイル２０を位置決めした状態で接着するための段部１２ａが設けられている（図３参照）。また、フランジ部１２の下面には、下側板バネ６０を位置決めかつ装着するための、リング状の凸部（段部）１５が同心状に形成されている。この凸部１５には、光軸方向に延出する３本の細い突起１３が等間隔で該凸部１５と一体に形成されている。
【００２４】
コイル２０は、前述したように、ホルダ１０のフランジ部１２の上面の段部１２ａに、ホルダ１０の筒状部１１の周囲と間隔を置くようにして設けられている。本実施形態では、コイル２０は、銅線の表面に被覆したものを、１０回巻の層と９回巻の層を交互に積層する異数巻きによって形成され、その断面は円形状をなす空芯コイルである。また、このコイル２０は、その巻き線の両端の引き出し部２１がフランジ部１２側に位置するように巻かれている。このような空芯コイルがホルダ１０のフランジ部１２の上面の段部に接着剤により固定されている。なお、本発明ではコイル２０は、以上のような空芯コイルに限られず、筒状部１１に直接コイルを、巻回したものであってもよい。
【００２５】
図４に示されているように、ヨーク３０は、ホルダ１０の筒状部１１が挿通する挿通孔３５を有する円筒状の内筒部３１と、内筒部３１の外側に所定間隔をおいて設けられた円筒状の外筒部３２と、内筒部３１と外筒部３２のホルダ１０のフランジ部１２と反対側の端部が一体に連結する連結部３４とを有し、内筒部３１と外筒部３２との間にある所定間隔のスペースにコイル２０を収容するように構成されている。
【００２６】
このヨーク３０は、磁性材料である例えば鉄の表面をニッケルメッキしたものからなっている。ホルダ１０の筒状部１１を、光軸方向に移動可能な状態で内筒部３１の挿通孔３５に挿入するために、内筒部３１の挿通孔３５の直径は、ホルダ１０の筒状部１１の外周面の直径より大きく、ホルダ１０のフランジ部１２の周縁部の直径よりは小さくなるように形成されている。
【００２７】
また、図２ないし図４に示すように、連結部３４を基準とした内筒部３１の光軸方向の高さは外筒部３２の光軸方向の高さより低くなるように形成されている。
【００２８】
また、円形状のヨーク３０の外筒部３２の内周面の磁石取付面３３には、コイル２０と間隔を置いて対向するように複数（４片）の永久磁石４０が配置されている。これらの永久磁石４０は、それぞれ、円形の磁石取付面３３の形状に沿うように略９０度の円弧状に湾曲した永久磁石から形成されている。これらの永久磁石４０は、ネオジウム磁石からなり、例えば、磁石取付面３３に当接する側の曲面をＳ極、その曲面と略対向する曲面をＮ極となるように磁化されている。これらの円弧状に湾曲した永久磁石４０が円形状のヨーク３０に取り付けられることによって、ヨーク３０の内筒部３１の外周面はＳ極となり、円弧状に湾曲した永久磁石４０から内筒部３１に向かう磁界が形成される。この磁界により、永久磁石４０と内筒部外周面のスペースに位置するコイル２０に通電した際に、該コイルには前記磁界とコイルを流れる電流により発生する磁界との相互作用により、光軸方向の力が作用し、ホルダ１０を光軸方向に移動させることが可能になる。なお、永久磁石の個数は４片に限定されることなく、それ以外の複数個の磁石でもよく、また１個の例えばＣ字状の永久磁石を使用してもよい。
【００２９】
ところで、以上のような円形状のヨーク３０では、図５中に示されている矢印のように、円形状のヨーク３０の連結部３４と反対側の開放部において、隣接する永久磁石４０間の下方に磁束が漏れてしまう。この磁束の漏れを防ぐ防止手段を設けることによって、ホルダ１０の駆動力を増加させることができる。
【００３０】
本発明では、この磁束漏れの防止手段として、永久磁石４０の下側端面（円形状のヨーク３０の連結部３４と反対側の面）に当接した状態で複数の永久磁石４０を連結するように磁性部材５０を配置している。この磁性部材５０を設けることによって、図６に示すように、下方に漏れる磁束を減少させ、永久磁石４０から円形状のヨーク３０の内筒部３１に向かう磁束が増加するようにしている。図７に示すように、本実施形態では、円形リング状の磁性部材５０を永久磁石４０に吸着させた上でそれらと接着剤で固定されている。図６に示すように、リング形状を有する磁性部材５０の幅は、各円弧状に湾曲した永久磁石４０の半径方向の厚さに等しくなっている。それにより、ヨーク３０に収容されるコイル２０の配置を妨げることがない。また、リング形状を有する磁性部材５０の開放部側の面は、取り付けられた状態で、ヨーク３０の外筒部３２の端面より下側に位置するようになっている。
【００３１】
前記磁性材料は、鉄、ニッケル、コバルトおよびそれらの合金からなる磁性材料から形成され、本実施形態では冷間圧延鋼板を使用している。
【００３２】
図８に示すように、各板バネ（上側板バネ６０Ｕ、下側板バネ６０Ｌ）は、金属の薄板からなり、内環部６１と、内環部６１と所定の間隔をおいて設けられた外環部６２と、内環部６１と外環部６２とを接続する複数の連結部６３とを有するジンバルバネ状に形成されている。外環部６２が固定された状態で、内環部６１に荷重がかかった場合、連結部６３が弾性変形することによって、内環部６１が接着されるホルダ１０を径方向に位置決めした状態で光軸方向に変位可能に支持する。
【００３３】
ホルダ１０の上面には、組立の際、上側板バネ６０Ｕを位置決めするための段部１６が形成されている。この段部１６の横断面形状は、内環部６１の内周とほぼ同じ形状を有している。ホルダ１０の上面に上側板バネ６０Ｕの内環部６１が段部１６と嵌合した状態で載置され、さらにその上にストッパ７０が取り付けられることによって、内環部６１はホルダ１０の上面とストッパの下面との間に挟持された状態でホルダ１０に接着される。また、外環部６２は、カバー８０の下面とヨーク３０の連結部３４の上面との間で挟持された状態でカバー８０およびヨーク３０に接着される。
【００３４】
前述したように、ホルダ１０のフランジ側端部、すなわちフランジ部の下面にも、組立の際下側板バネ６０Ｌを位置決めするための段部１５が形成されており、その横断面形状は内環部６１の内周と同じ形状を有しており、内環部６１が位置決めされた状態で接着される。また外環部６２は、円形状のヨーク３０の外筒部３２の端面とベース８５の上面との間で挟持された状態でベース８５およびヨーク３０に接着される。
【００３５】
図９に示すように、下側板バネ６０Ｌとベース８５との間にコイル２０に電力を供給するために設けられたシート状電極９０は、ポリイミドのシート材からなる略円形リング状に形成したリング状部９１と、リング状部９１から径方向外側に延出する延出部９２とを有する。
【００３６】
シート状電極９０の一面には、銅からなる端子部９３が延出部９２からリング状部９１にかけて２本設けられている。また、リング状部９１において、２本の端子部９３の先端間に、後述するダミーワイヤー２３をはんだ付けするためのダミー端子部９５が設けられている。
【００３７】
さらにシート状電極９０の他面には、シート状電極９０を、下側板バネ６０Ｌの外環部６２の下面に接着するための粘着層（図示せず）が、リング状部９１と、延出部９２のリング状部との接続部近傍と、延出部９２の先端部近傍に設けられている。
【００３８】
さらに、延出部９２は後述するベース８５の挿通孔８８を通して、支持枠の外部に延出し、センサー基板（図示せず）に接続される。挿通孔８８に延出部９２を挿通するために、リング状部９１に対して延出部９２を略９０度折り曲げる必要がある。この折り曲げによって、端子部９３が破損することを防ぐため、端子部９３の上にポリイミドからなるカバーフィルム９４が設けられている。
【００３９】
シート状電極９０のリング部９１上に設けられた端子部９３にコイル２０の引き出し部２１の先端をはんだ付けすることでコイル２０に電力を供給することができる。しかし、ホルダ１０が変位することによって引き起こされる引き出し部２１と他の部材との好ましくない接触およびはんだ付けされた先端部の応力集中が生じる。そこで、図１０に示すようにコイル２０の巻き線の両側の引き出し部２１を、ホルダ１０のフランジ部１２の下面の段部１５に設けられた３本の細い突起１３に巻き付けた上で、引き出し部２１の先端がシート状電極９０の端子部９３にはんだ付けされる。
【００４０】
これらの突起１３は、組立状態で、後述するベースの底板部８６の上面に接触しない程度の高さを有する円筒形状をなしている。
【００４１】
引き出し部２１は、コイル２０からフランジ部１２の縁部に設けられている凹部１４（図１２参照）を通して、フランジ部１２の下面側に延出され、突起１３に巻き付けられる。
【００４２】
突起１３とはんだ付け部２２との間にある引き出し部２１は、ホルダ１０の変位しても、引張応力が生じないように、たるみを持たせた状態で取り付けられている。
【００４３】
さらに、本実施形態では、図１１に示すように、ホルダ１０の突起１３に引き出し部２１が巻き付けられる部分と、シート状電極９０の端子部９３に引き出し部２１の先端がはんだ付けされたはんだ付け部２２とを包み込むように応力緩和剤２４が設けられており、引き出し部２１の一部に応力が集中することを防ぐことができる。
【００４４】
さらに、図１２に示すように、突起１３は、フランジ部１２の下面にほぼ等間隔で３つ設けられており、それぞれ、フランジ部１２の下面に接着される下側板バネ６０Ｌの内環部６１の内縁にある略半円状の凹部６６（図８参照）の位置に挿入される。
【００４５】
３つの突起１３のうち２つにコイル２０の引き出し部２１を巻き付けられている。残りの１つには、バランス保持手段を設けられている。
【００４６】
このバランス保持手段は、コイル２０の巻き線と同じワイヤーを用いたダミーワイヤー２３からなる。ダミーワイヤー２３の一端は突起１３に巻き付けられ、他端はシート状電極９０のダミー端子部９５にはんだ付けされる。これによって、ホルダ１０のバランスを保つことができ、安定した姿勢で動作可能となる。
【００４７】
ダミーワイヤー２３が突起１３に巻き付けられた部分とダミーワイヤー２３のはんだ付け部とを包み込むように応力緩和剤２４が設けられており、ダミーワイヤー２３の一部に応力が集中することを防ぐとともにホルダ１０のバランスを保つことができる。
【００４８】
なお、本発明にあっては、以上のようなシート状電極９０を使用する代わりに、例えば、ホルダ１０の変位に伴って変位しない下側板バネ６０Ｌの外環部６２の下面（ホルダ１０と反対側の面）の一部に、絶縁材を介して、電源部と接続する端子部を形成し、そこにコイル２０の引き出し部２１の端部を接続するようにしてもよい。
【００４９】
図１３に示すように、ストッパ７０はリング状に成形された合成樹脂からなり、上側板バネ６０Ｕの内環部６１をホルダ１０との間に挟持した状態で、内周縁はホルダ１０の上面部の段部１６と嵌合し接着される。
【００５０】
３個の開口７１の縁部の一部は、上側板バネ６０Ｕの内環部６１の外縁にある略半円状の凹部６５（図８参照）の形状と一致するように位置決めされた状態で組み立てられる。したがって、上面側から開口７１および略半円状の凹部６５を通して、ホルダ１０の筒状部１１とヨーク３０の内筒部３１とのクリアランスを確認することができる。
【００５１】
図２に示すように、上側板バネ６０Ｕの外環部６２の一部をヨーク３０の連結部３４との間に挟持するように組み立てられるカバー８０は、開口部８０ａを有する略長方形状の上板部８１とその上板部８１の角部に、上板部８１に対して垂直かつ下向きにそれぞれ設けられている柱部８２とを有する。
【００５２】
下側板バネ６０Ｌの外環部６２の一部をヨーク３０の外筒部３２の端面との間に挟持するように組み立てられるベース８５は、開口部８５ａを有する略長方形状の底板部８６とその底板部８６の角部に、底板部８６に対して垂直かつ上向きにそれぞれ設けられている柱部８７とを有する。
【００５３】
それぞれ対応する位置にあるカバー８０の柱部８２とベース８５の柱部８７は嵌合するようになっており、組立の際、容易に位置決めした状態で接着することができる。
【００５４】
図１４に示すように、カバー８０の開口部８０ａの内縁には、３つの略三角形状の凸部２０１が設けられており、ストッパ７０の外縁に設けられた３つの略三角形状の凹部７２と隙間がある状態で嵌合するようにそれぞれ配置されている。これによって、ストッパ７０と接着されているホルダ１０の円周方向の回転を制限するため、板バネ６０の連結部６３の塑性変形、部材間の接着面のはく離、コイル２０の引き出し部２１の破断などといった問題を引き起こすことなく、レンズ組立体１００をホルダ１０に容易に螺合することができる。
【００５５】
また、ストッパ７０の外縁の上方には、開口部８０ａから径方向内向きに突出した突出部２０２が設けられており、衝撃などによりホルダ１０に大きな力が加わっても、この突出部２０２がストッパ７０に当接することによって、ホルダ１０の変位を制限し、ホルダ１０を支持している板バネ６０の連結部６３の塑性変形、部材間の接着面のはく離、コイル２０の引き出し部２１の破断などを防ぐことができる。
【００５６】
図２に示すように、ベース８５の底板部８６には、組立の際に、シート状電極９０の延出部９２を挿通するための挿通孔８８が設けられている。
【００５７】
さらに、ベース８５の底板部８６の開口部８５ａ近傍に、突起８９がほぼ等間隔に３つ設けられており（図３参照）、組立状態では、その先端はホルダ１０のフランジ部１２の下面に接着されている下側板バネ６０Ｌの連結部６３に当接する。突起８９の高さは、ベース８５の底板部８６上面から下側板バネ６０Ｌまでの距離より長いため、ホルダ１０は上に変位した状態となり、支持している各板バネ６０には下向きの弾性力が働き、ホルダ１０には常にバックテンションが働いている状態となっている。
【００５８】
また、ベースの底板部８６には、円形の開口８６ａがほぼ等間隔に３つ設けられており、これらの開口を通じて、シート状電極９０上のはんだ付け部２２の状態を検査することができる。
【００５９】
以下、本発明のオートフォーカス用アクチュエータの組立手順について説明する。
[１]  ホルダ１０のフランジ部１２の上面の段部１２ａにコイル２０を接着剤で固定する。
【００６０】
[２]  次に、ヨーク３０の外筒部３２の内周面の磁石取付面３３に４片の永久磁石４０を所定位置に位置決めした後、接着剤で固定する。その状態で、これらの永久磁石４０の下端面にマグネットスペーサを吸着させて接着剤で固定する。
【００６１】
[３]  次に、コイル２０が固定されたホルダ１０と、以上のマグネットスペーサが装着されたヨーク３０とを組み付ける。この際、ホルダ１０の筒状部１１は、ヨーク３０の内筒部３１の挿通孔３５に挿通され、コイル２０はヨーク３０の内筒部３１の外周面と永久磁石４０との間のスペースに収納されるように両者を組み付ける。
【００６２】
[４]  [３]の状態でホルダ１０の上下の段部１５および１６にそれぞれ各板バネ６０の内環部６１を嵌合させて接着剤で固定する。
【００６３】
[５]  [４]で接着された上側板バネ６０Ｕの上面に、筒状部１１の上面との間で上板バネ６０の内環部６１を挟持した状態で段部１６と嵌合するストッパ７０を接着剤で固定する。
【００６４】
[６]  [４]で接着された下側板バネ６０Ｌの外環部６２に、接着層を介してシート状電極９０のリング状部９１を接着する。
【００６５】
[７]  コイル２０の引き出し部２１およびダミーワイヤー２３をホルダ１０の突起１３に巻き付けた上で、その先端を[６]で接着されたシート状電極の端子部９３およびダミー端子部９５にはんだ付けされる。また、突起１３に巻き付けた部分およびはんだ付け部には応力緩和剤を塗布する。
【００６６】
[８]  各板バネ６０の外環部６２をヨーク３０との間で挟持するように、[７]までに組み立てられた部品にカバー８０およびベース８５を取り付け、ヨーク３０とカバー８０とに上側板バネの外環部６２を、ヨーク３０の外筒部３２の下端面とベース８５とに下側板バネ６０Ｌの外環部６２をそれぞれ接着する。この時、シート状電極９０の延出部９２をベースの挿通孔８８を通して外部に延出させた状態となるようにする。
【００６７】
[９]  [８]までに組み立てられた部品の一部であるホルダ１０のネジ部にレンズ組立体１００を螺合させる。
【００６８】
以下、上記実施形態のオートフォーカス用アクチュエータの作用について説明する。
図３において、磁界の向きが永久磁石からヨーク３０の内筒部３１方向とする。ホルダ１０が初期位置にある状態で、上方からコイル２０を見たときに反時計回りすなわち、図３の断面図において、コイル２０の右の断面では図面の表から裏方向に、左の断面では図面の裏から表方向に電流が流れると上向きの電磁力が生じる。この電磁力と、ホルダ１０の変位に応じて変化する板バネ６０の弾性力とがつりあう状態となるまで、ホルダ１０は変位する。電磁力はコイル２０に流れる電流の量によって制御されるので、ホルダ１０すなわちレンズ組立体１００を任意の位置に変位させることができる。本発明のオートフォーカス用アクチュエータ１のコイル２０に流れる電流の量から得られるレンズ組立体１００の位置情報と、オートフォーカス用アクチュエータ１の下方に位置する検出素子（図示せず）で検出される画像情報とを所定のオートフォーカスアルゴリズムを備える演算部で高速演算し、その結果に基づいてコイル２０に流れる電流を制御することによって、オートフォーカスが可能となる。
【００６９】
以上説明した本発明の好適実施形態にかかるオートフォーカス用アクチュエータによれば、板バネと独立して設けたシート状電極を用いてコイルへの通電を行うようになっているので、板バネに電極部用の折り曲げ加工などは必要なくなり、また板バネの絶縁を考慮する必要もない。さらに、一対の板バネを同じ形状の板バネとし共通化することもでき、コストダウンも可能となる他、組み立ても簡単に行える。
【００７０】
本発明に係るオートフォーカス用アクチュエータは、以上の実施形態に限定されず、種々の改変や改良が可能である。以下、代表的な改良例について説明する。
【００７１】
例えば、以上の実施形態では、ヨークは、円形状の形状をなしており、永久磁石も円弧状の形状の磁石を使用しているが、そのような、円弧状の磁石は、価格が高い上、位置決めに特別な治具が必用となり、製造工程が複雑になるという問題がある。
【００７２】
直方体、すなわち平板状の永久磁石が使用可能な上、それらの永久磁石の位置決めおよび組み付けが容易なヨークの改良例として、図１５に示すように、外筒部３０２の断面形状が略正方ヨーク３００がある。
【００７３】
図１５に示すように、外筒部３０２の内周面には、４つの磁石取付面３０３が設けられており、それぞれ容易に製造することができる略平板状の永久磁石４１を、磁石取付面３０３に磁着した状態で取り付けることができる。
【００７４】
また、図１５に示すように、外筒部３０２の４つの角部には、いずれも内側に向かって窪んだ凹陥部３０４が形成されている。一つの磁石取付面３０３の両側にある２つの凹陥部３０４の内表面同士の距離が、略平板状の永久磁石４１の幅とほぼ等しいため、凹陥部３０４の内表面は略平板状の永久磁石４１の側面に当接することによって、略平板状の永久磁石４１の位置決めを容易に行うことができる。
【００７５】
略平板状の永久磁石４１は、例えば、磁石取付面３０３に当接する側の側面をＳ極、その側面と略対向する面をＮ極となるように磁化されており、これらの略平板状の永久磁石４１が略正方形状のヨーク３０に取り付けられることによって、円形状のヨーク３００の内筒部３０１の外周面はＳ極となり、略平板の永久磁石４１から内筒部３０１に向かう磁界が形成される。
【００７６】
さらに、本改良例では、略正方形ヨーク３００の内筒部３０１も断面略正方形に形成されており、内筒部３０１および略平板状の永久磁石４１と所定間隔をおいて収納されるコイルも略正方形状に巻回されたものを使用することによって、コイルを流れる電流の向きと略正方形ヨーク３００の内部に形成される磁界の向きとが略直角になることから、十分な駆動力を得ることができる。
【００７７】
このような略正方形状のヨーク３００を使用する場合、図１７に示すように、４つの角部の外縁には、いずれも内側に向かって窪んだ凹陥部が形成されている略四角形リング状の磁性部材５１を使用する。凹陥部以外の部分の幅は、略平板状の永久磁石４１の厚さと等しくなっている。
【００７８】
また、平板状の永久磁石が使用可能な上に、それらの磁石の位置決めおよび組み付けが容易なヨークの改良例として、図１６に示すように、外筒部３１２の断面形状が六角形のヨーク３１０がある。
【００７９】
図１６に示すように、ヨーク３１０の外筒部３１２には、６つの磁石取付面３１３が設けられており、それぞれ容易に製造することができる、略平板状の永久磁石４２を磁石取付面３１３に磁着した状態で取り付けることができる。
【００８０】
また、図１６に示すように、磁石取付面３１３に取り付けられた６つの略平板状の永久磁石４２は、隣合う略平板状の永久磁石４２同士の一部が当接した状態となるように、磁石取付面３１３を設けることによって、容易に位置決めすることができる。
【００８１】
略平板状の永久磁石４２は、例えば、磁石取付面３１３に当接する側の側面をＳ極、その側面と略対向する面をＮ極となるように磁化されており、これらの略平板状の永久磁石４２が略六角形状のヨーク３１０に取り付けられることによって、六角形状のヨーク３１０の内筒部３１１の外周面はＳ極となり、略平板の永久磁石４２から内筒部３１１に向かう磁界が形成される。
【００８２】
さらに、本改良例では、略正方形ヨーク３１０の内筒部３１１は略断面円形に形成されており、内筒部３０１および略平板状の永久磁石４１と所定間隔をおいて収納されるコイルも略円形に巻回されたものを使用することができる。略平板状の永久磁石が円形に近い略六角形状に取り付けられるため、略円形のコイルを使用しても、十分な駆動力を得ることができる。
【００８３】
このような略六角形状のヨークを使用する場合には、前述した磁性部材として六角形リング状の磁性部材を使用する。六角リング形状の磁性部材の幅は、略平板状の永久磁石４２の厚さと等しくなっている。
以下、ヨークの別の変形例について説明する。
【００８４】
図４に示すような円形状のヨーク３０では、外筒部３２の下側端面で当接しているため、下側板バネ６０Ｌの外環部６２に当接する面積が小さく、十分な接着強度がえられないため衝撃に弱いという問題がある。
【００８５】
ヨークの変形例として、図１８に示すような、下側板バネの外環部６２との接着面を有する接着面付きヨーク３２０がある。
【００８６】
下側板バネの外環部６２との接着面は、接着面付きヨーク３２０の外筒部３２２の端面と連続面をなした状態で、外側に延出するように形成されたタブ状部３２５から構成されている。そのため一体成形による製造が容易に行うことができる。
【００８７】
タブ状部３２５の下側板バネ６０Ｌの外環部６２と当接する面は、接着面付きヨーク３２０の連結部３４の上面と略平行の関係にあり、外筒部３２２の端面に、略９０度間隔で４個設けられていることによって、円形状のヨーク３０よりの外筒部３２の下側端面より広い面積で当接するので、安定かつ確実に下側板バネ６０Ｌの外環部６２を接着することができる。
【００８８】
さらに、タブ状部３２５の外縁は略直線状となっており、タブの幅方向中心部で外筒部３２２のなす円弧との接点３２６を有し、その接点３２６における外筒部３２２のなす円弧の接線とタブ状部３２５の外縁はほぼ一致している。したがって、円形状のヨーク３０の直径方向の幅と、接着面付きヨーク３２０の相対向するタブ状部３２５の接点３２６を結んだ幅が一致し、円形状のヨーク３０を用いた場合と比較して、外形寸法が変化することなく、下側板バネ６０Ｌの外環部６２との接着面を増やすことができる。
【００８９】
さらに、４つのタブ状部３２５は隣接するタブ状部との間に凹部３２７を設けることによって、組立の際、凹部３２７に前述したカバー８０の柱部８２もしくはベース８５の柱部８７が配置され、接着面付きヨーク３２０を位置決めすることができる。
【００９０】
また、図１９に示すような、外筒部３３２の端面の外周囲にわたって端面と連続面をなした状態で、外側に延出するように形成されたフランジ部３３５を有する変形接着面付きヨーク３３０もある。この変形接着面付きヨーク３３０も、円形状のヨーク３０より安定かつ確実に下側板バネ６０Ｌの外環部６２を接着できるとともに、容易に製造することができる。
【図面の簡単な説明】
【００９１】
【図１】本発明に係るオートフォーカス用アクチュエータの実施形態の全体構成の斜視図である。
【図２】図１に示すオートフォーカス用アクチュエータの分解斜視図である。
【図３】図１に示すオートフォーカス用アクチュエータの断面概略図である。
【図４】円形ヨークを示す斜視図である。
【図５】ヨークの断面図であって、永久磁石のみを取り付けた場合の磁界の様子を示す。
【図６】ヨークの断面図であって、永久磁石および磁性材料を取り付けた場合の磁界の様子を示す。
【図７】円形リング状の磁性部材を示す斜視図である。
【図８】板バネの平面図である。
【図９】シート状電極の平面図である。
【図１０】オートフォーカス用アクチュエータの断面概略図の一部であって、コイルの引き出し部をシート状電極に接続した状態を示す。
【図１１】図１０におけるＡの部分拡大図である。
【図１２】ホルダのフランジ部と、コイルの引き出し部と、シート状電極の位置関係を示す平面図である。
【図１３】ストッパの平面図である。
【図１４】カバーの開口部とストッパの位置関係を示す平面図である。
【図１５】略正方形ヨークの斜視図であって、略平板状の永久磁石を取り付けた状態を示す。
【図１６】略六角形ヨークの斜視図であって、略平板状の永久磁石を取り付けた状態を示す。
【図１７】略正方形リング状の磁性部材を示す斜視図である。
【図１８】タブ付きヨークの斜視図である。
【図１９】タブ付きヨーク変形例の斜視図である。
【符号の説明】
【００９２】
１      オートフォーカス用アクチュエータ
１０    ホルダ
１１    筒状部
１２    フランジ部
１２ａ  段部
１３    突起
１４    凹部
１５    凸部（段部）
１６    段部
２０    コイル
２１    引き出し部
２２    はんだ付け部
２３    ダミーワイヤー
２４    応力緩和剤
３０    ヨーク
３１    内筒部
３２    外筒部
３３    磁石取付面
３４    連結部
３５    挿通孔
４０    円弧状に湾曲した永久磁石
４１    平板状の永久磁石（略正方形状のヨーク用）
４２    平板状の永久磁石（略六角形状のヨーク用）
５０    円形リング状の磁性部材
５１    略四角形リング状の磁性部材
６０    板バネ
６０Ｕ  上側板バネ
６０Ｌ  下側板バネ
６１    内環部
６２    外環部
６３    連結部
６５    内環部外縁の凹部
６６    内環部内縁の凹部
７０    ストッパ
７１    開口
７２    略三角形状の凹部
８０    カバー
８０ａ  開口部
８１    上板部
８２    柱部
８５    ベース
８５ａ  開口部
８６    底板部
８６ａ  開口
８７    柱部
８８    挿通孔
８９    突起
９０    シート状電極
９１    リング状部
９２    延出部
９３    端子部
９４    カバーフィルム
９５    ダミー端子部
１００    レンズ組立体
２００    開口部
２０１    略三角形状の凸部
２０２    突出部
３００    略正方形状のヨーク
３０１    内筒部
３０２    外筒部
３０３    磁石取付面
３０４    凹陥部
３１０    略六角形状のヨーク
３１１    内筒部
３１２    外筒部
３１３    磁石取付面
３２０    接着面付ヨーク
３２２    外筒部
３２５    タブ状部
３２６    接点
３２７    凹部
３３０  変形接着面付ヨーク
３３２  外筒部
３３５  フランジ部
【図１】
2006050693.tif 000003
【図２】
2006050693.tif 000004
【図３】
2006050693.tif 000005
【図４】
2006050693.tif 000006
【図５】
2006050693.tif 000007
【図６】
2006050693.tif 000008
【図７】
2006050693.tif 000009
【図８】
2006050693.tif 000010
【図９】
2006050693.tif 000011
【図１０】
2006050693.tif 000012
【図１１】
2006050693.tif 000013
【図１２】
2006050693.tif 000014
【図１３】
2006050693.tif 000015
【図１４】
2006050693.tif 000016
【図１５】
2006050693.tif 000017
【図１６】
2006050693.tif 000018
【図１７】
2006050693.tif 000019
【図１８】
2006050693.tif 000020
【図１９】
2006050693.tif 000021